(57)【要約】 【課題】  靴紐への取り付け作業が容易であると共に、手軽に外観品質を向上させて、購買意欲を刺激することができるマスコットキャラクター取付部材を提供する。【解決手段】  靴紐に固定されるマスコットキャラクター取付部材であって、全体略細長板状に形成され、内側面部の長さ方向一端部には係止凸部が突設されると共に、長さ方向他端部には係止孔部が開設され、外側面部にはマスコットキャラクターの固定部が形成され、長さ方向中間部において２つ折り可能に形成されている。【選択図】  図１
0003180573.tif 000002
【実用新案登録請求の範囲】
【請求項１】
靴紐に固定されるマスコットキャラクター取付部材であって、全体略細長板状に形成され、内側面部の長さ方向一端部には係止凸部が突設されると共に、長さ方向他端部には係止孔部が開設され、外側面部にはマスコットキャラクターの固定部が形成され、長さ方向中間部において２つ折り可能に形成されていることを特徴とするマスコットキャラクター取付部材。
【請求項２】
上記長さ方向中間部と係止凸部及び係止孔部との間の間隔寸法は靴紐の幅寸法よりも大きく形成され、上記係止凸部と上記係止孔部との間に靴紐を配置させて靴紐に固定させることを特徴とする請求項１記載のマスコットキャラクター取付部材。
【請求項３】
上記固定部にはマスコットキャラクターが固定され、上記内側面部を内方にして２つ折りにした状態で靴紐に着脱可能に固定されることを特徴とする請求項１記載のマスコットキャラクター取付部材。
【請求項４】
上記中間部の近傍には凸部が設けられていることを特徴とする請求項２記載のマスコットキャラクター取付部材。
【請求項５】
上記固定具は合成樹脂製であることを特徴とする請求項１記載のマスコットキャラクター取付部材。
【考案の詳細な説明】
【技術分野】
【０００１】
本考案は、靴紐に取り付けられるマスコットキャラクター取付部材に関する。
【背景技術】
【０００２】
従来より、各種スポーツシューズやスニーカーに使用される靴紐が単体で販売されている。これらの靴紐は、様々なデザインが施され、意匠的にも非常に美しく、需要者は複数種類のデザインの靴紐を購入し、適宜、取り替えて使用して楽しんでいる場合もある。
【０００３】
しかしながら、従来この種の靴紐にあっては、靴紐に付されたデザインのみで意匠的な差異を出すようにしており、斬新さには限界があった。従って、より外観品質に富み、購買意欲を刺激する靴紐が要請されていた。
【０００４】
このような観点から、出願人は先行技術調査を行い、特許文献１を抽出したが、特許文献１に開示された技術は、適宜形状のアクセサリー板の裏面に２個の管体を横に連着した止具が設けられ、当該２個の管体に靴紐を挿通することにより靴紐に固定するように構成されている。
【０００５】
このような従来技術にあっては、２個の管体に靴紐を挿通させるのが煩雑であると共に、靴に靴紐を装着した場合に、希望する位置にアクセサリーが配置されるまで靴紐に沿って移動させなければならず、取り付け作業が非常に煩雑である、という欠点があった。
【特許文献１】実公平８−３２８５号
【考案の開示】
【考案が解決しようとする課題】
【０００６】
本考案はこのような従来からの不具合を解決するためのものであって、その課題は、靴紐への取り付け作業が容易であると共に、手軽に外観品質を向上させて、購買意欲を刺激することができるマスコットキャラクター取付部材を提供することにある。
【課題を解決するための手段】
【０００７】
上記課題達成のため、請求項１記載の考案にあっては、靴紐に固定されるマスコットキャラクター取付部材であって、全体略細長板状に形成され、内側面部の長さ方向一端部には係止凸部が突設されると共に、長さ方向他端部には係止孔部が開設され、外側面部にはマスコットキャラクターの固定部が形成され、長さ方向中間部において２つ折り可能に形成されていることを特徴とする。
【０００８】
従って、請求項１記載の考案にあっては、長さ方向中間部において二つ折にして上記係止凸部を上記係止孔部に係合させることにより、マスコットキャラクターを外方へ配置させた状態で靴紐に、靴紐の幅方向に沿って適宜位置に固定することができる。
【０００９】
請求項２記載の考案にあっては、上記長さ方向中間部と係止凸部及び係止孔部との間の間隔寸法は靴紐の幅寸法よりも大きく形成され、上記係止凸部及び係止孔部と上記中間部との間に靴紐を配置させて靴紐に固定させることを特徴とする。
【００１０】
従って、請求項２記載の考案にあっては、上記係止凸部と係止孔部との間に靴紐を配置させて固定する。
【００１１】
請求項３記載の考案にあっては、上記固定部にはマスコットキャラクターが固定され、上記内側面部を内方にして２つ折りにした状態で靴紐に着脱可能に固定されることを特徴とする。
【００１２】
請求項４記載の考案にあっては、上記中間部の近傍には凸部が設けられていることを特徴とする。従って、請求項４記載の考案にあっては、上記凸部が靴紐に係合する。
【００１３】
請求項５記載の考案にあっては、上記固定具は合成樹脂製であることを特徴とする。
【考案の効果】
【００１４】
請求項１記載の考案にあっては、全体略細長板状に形成され、内側面部の長さ方向一端部には係止凸部が突設されると共に、長さ方向他端部には係止孔部が開設され、外側面部にはマスコットキャラクターの固定部が形成され、長さ方向中間部において２つ折り可能に形成され、長さ方向中間部において二つ折にして上記係止凸部を上記係止孔部に係合させることにより、マスコットキャラクターを外方へ配置させた状態で、靴紐の幅方向に沿って適宜位置に固定することができるように構成されていることから、靴紐への取り付け作業が容易であると共に、手軽に外観品質を向上させて、購買意欲を刺激することができるマスコットキャラクター取付部材を提供することができる。
【００１５】
請求項２記載の考案にあっては、上記長さ方向中間部と係止凸部及び係止孔部との間の間隔寸法は靴紐の幅寸法よりも大きく形成され、上記係止凸部及び係止孔部と上記中間部との間に靴紐を配置させて靴紐に固定させるように構成されていることから、靴紐にマスコットキャラクター取付部材を確実に固定することができる。
【００１６】
請求項３記載の考案にあっては、上記固定部にはマスコットキャラクターが固定され、上記内側面部を内方にして２つ折りにした状態で靴紐に着脱可能に固定されるように構成されていることから、靴紐の適宜部位において幅方向に沿ってマスコットキャラクター取付部材を容易に靴紐に固定することができる。
【００１７】
請求項４記載の考案にあっては、上記中間部の近傍には凸部が設けられ、靴紐への取付け時には、上記凸部が靴紐に係合するように構成されていることから、マスコットキャラクター取付部材は確実に靴紐に固定される。
【００１８】
請求項５記載の考案にあっては、上記固定具は合成樹脂製であることから、靴紐に取り付けた場合にも軽量であると共に、製造が容易である。
【図面の簡単な説明】
【００１９】
【図１】本考案に係るマスコットキャラクター取付部材の一実施の形態を示し、（ａ）は外側面部側を示す平面図、（ｂ）は側面図、（ｃ）は内側面部側を示す平面図、（ｄ）は外側面部側から観た側面図、（ｅ）は長さ方向端部外側面部から見た斜視図である。
【図２】本考案に係るマスコットキャラクター取付部材の一実施の形態であって、折り曲げた状態を示す斜視図である。
【図３】本考案に係るマスコットキャラクター取付部材にマスコットキャラクターを取り付けた状態を示す平面図である。
【図４】本考案に係るマスコットキャラクター取付部材を固定した靴紐を靴紐固定板材に巻き付け、販売用台紙に載置した状態を示す斜視図である。
【図５】本考案に係るマスコットキャラクター取付部材を固定した靴紐を靴紐取付板材に巻き付け、販売用台紙に挟んで配置した状態を示す斜視図である。
【考案を実施するための最良の形態】
【００２０】
以下、添付図面に示す実施の形態に基づき、本考案を詳細に説明する。
図１に示すように、本実施の形態に係るスコットキャラクター取付部材１０は、合成樹脂製であって、全体略長円板状に形成され、内側面部１７の長さ方向一端部には係止凸部１１が突設されると共に、長さ方向他端部には係止孔部１２が厚さ方向において貫通して開設され、外側面部１３にはマスコットキャラクターの固定部１４が形成され、長さ方向中間部１５には幅方向に沿って凹部が形成され、長さ方向において２つ折り可能に形成されている。
【００２１】
上記長さ方向中間部１５と係止凸部１１及び係止孔部１２との間の間隔寸法Ｌは同一に形成され、靴紐１８の幅寸法よりも大きく形成され、上記係止凸部１１と上記係止孔部１２との間に靴紐１８を配置させて靴紐１８に固定させることができるように構成されている。
【００２２】
上記係止凸部１１は、軸部１１ａと、軸部１１ａの上端部に形成された大径部１１ｂとにより構成されている。上記固定部１４は全体略薄型直方体に形成されて図３に示すように、マスコットキャラクター１６が固定され、上記内側面部１７を内方にし、マスコットキャラクター１６が外方に表出し２つ折りにした状態で靴紐１８に着脱可能に固定する。また、内側面部１７には、上記係止凸部１１と長さ方向中間部１５との間には半球状の凸部１９が設けられている。
【００２３】
以下、本実施の形態に係るマスコットキャラクター取付部材１０の作用について説明する。
マスコットキャラクター１６が固定されたマスコットキャラクター取付部材１０は、長さ方向中間部１５において長さ方向において折曲し、靴紐１８の適宜位置において幅方向に沿って挟み付けて固定する。この場合、上記凸部１９が靴紐１８に係合することからマスコットキャラクター取付部材１０は靴紐１８に確実に固定され、マスコットキャラクター１６は靴紐１８の外方に表出するように配置される。
【００２４】
このようにマスコットキャラクター取付部材１０によりマスコットキャラクター１６が固定された靴紐１８を販売する場合には、靴紐固定板材２０に巻き付ける。
靴紐固定板材２０は厚紙製であって、長方形状の板材本体部２０ａと、板材本体部２０ａから幅方向両側に形成された複数の凸部２０ｂとを有する。靴紐１８は、上記複数の凸部２０ｂの間において、板材本体部２０ａの幅方向に沿って巻き付けられる。
【００２５】
このようにして靴紐１８が巻き付けられた靴紐固定部材２０は、販売用台紙２１に配置される。販売用台紙２１は、スニーカーの平面形状を模して形成され、内部に、靴紐１８が巻き付けられた靴紐固定板材２０を長さ方向に沿って配置し、中間部２２を介して一対の挟み部２１ａ、２１ｂが、長さ方向に沿って靴紐固定部材２０を挟みこめるように構成されている。
【００２６】
一方の挟み部２１ａには長さ方向に沿って長孔２１ｃが形成されており、挟み部２１ａ、２１ｂを靴紐固定部材２０に重ねた場合には、挟み部２１ａの表面部に描かれたスニーカーの図柄２３に靴紐固定部材２０に巻き付けられた靴紐１８が合致して、実際のスニーカーが存在しているかのように見える。
そして長孔２１ｃを介して、靴紐１８には、本実施の形態に係るマスコットキャラクター取付部材１０を介してマスコットキャラクター１６が固定されていることが外部から視認されるから、靴紐１８の外観品質を向上させて、購買意欲を刺激することができる。
【産業上の利用可能性】
【００２７】
本考案に係るマスコットキャラクター取付部材は、広く、靴紐に固定するマスコットキャラクターに使用することができることから、産業上の利用可能性を有している。
【符号の説明】
【００２８】
１０  マスコットキャラクター取付部材
１１  係止凸部
１２  係止孔部
１３  外側面部
１４  固定部
１５  長さ方向中間部
１６  マスコットキャラクター
１７  内側面部
１８  靴紐
１９  凸部
２０  靴紐固定部材
２１  販売用台紙
【図１】
0003180573.tif 000003
【図２】
0003180573.tif 000004
【図３】
0003180573.tif 000005
【図４】
0003180573.tif 000006
【図５】
0003180573.tif 000007